(57)【要約】【課題】半田分配装置内において半田詰まりを起こすことのない半田分配装置を提供することと、圧縮ガスのガス供給経路を密閉空間として、安定して半田部材を射出でき、構造が簡素で小型化が図れる半田供給部を備える半田分配装置を提供することを目的とする。【解決手段】前記半田部材を導入するための半田導入口と、前記半田部材を外部へ導出するための開口部とを有し、前記半田導入口と前記開口部との間に半田部材が落下できる内部空間を形成する筒状分配容器と、前記分配容器に取り外し可能に装着され、前記半田部材を保持する半田供給部と、を備え、前記蓋部材を前記分配容器に装着した状態では、前記半田供給部は前記半田導入口の開口領域内に前記半田部材を保持し、かつ、前記内部空間が前記開口部を除き密閉空間となり、前記半田部材の保持を解除すると、前記半田部材が密閉空間内を落下して前記開口部に到達する半田分配装置。【選択図】  図１
2006303279.tif 000002
【特許請求の範囲】
【請求項１】
半田部材を射出して電子部品を基板に半田付けするための半田付け装置であって、
半田部材を収容するための内部空間と、前記内部空間内へ前記半田部材を導入するための、前記内部空間に連通する半田導入口と、前記半田部材を外部へ導出するための、前記内部空間に連通する開口部と、を有するノズル組立体と、
前記ノズル組立体に取り外し可能に装着され、前記半田部材を保持する半田供給部と、を備え
前記ノズル組立体若しくは前記半田供給部は、前記半田部材を溶融するための熱線を前記内部空間内へ導入する熱線経路を有し、
前記半田供給部を前記ノズル組立体に装着した状態では、前記半田供給部は前記半田導入口の開口領域内に前記半田部材を保持し、かつ、前記内部空間は前記開口部を除き密閉空間となる半田付け装置。
【請求項２】
前記半田供給部は、圧縮ガス源に連結し圧縮ガスが供給されるガス供給路を有し、前記半田供給部を前記ノズル組立体に装着した状態において、前記ガス供給路は前記内部空間に連通する請求項１に記載の半田付け装置。
【請求項３】
前記半田供給部は、吸引源に連通する吸引孔を有し、前記吸引孔を介して前記吸引源からの吸引力を前記半田部材に作用することで前記半田部材を保持する請求項１又は２に記載の半田付け装置。
【請求項４】
前記半田供給部は、複数の半田部材を保持できる請求項１〜３の何れか一項に記載の半田付け装置。
【請求項５】
前記熱線経路は、レーザ光が透過可能なレーザ光透過部である請求項１〜４の何れか一項に記載の半田付け装置。
【請求項６】
半田部材を分配するための半田分配装置であって、
前記半田部材を導入するための半田導入口と、前記半田部材を外部へ導出するための開口部とを有し、前記半田導入口と前記開口部との間に半田部材が落下できる内部空間を形成する筒状分配容器と、
前記分配容器に取り外し可能に装着され、前記半田部材を保持する蓋部材と、を備え、
前記蓋部材を前記分配容器に装着した状態では、前記半田供給部は前記半田導入口の開口領域内に前記半田部材を保持し、かつ、前記内部空間が前記開口部を除き密閉空間となり、
前記半田部材の保持を解除すると、前記半田部材が密閉空間内を落下して前記開口部に到達する半田分配装置。
【請求項７】
前記蓋部材は、吸引源に連通する吸引孔を有し、前記吸引孔を介して前記吸引源からの吸引力を前記半田部材に作用し前記半田部材を保持する請求項６に記載の半田分配装置。
【発明の詳細な説明】
【技術分野】
【０００１】
本発明は、半田部材を所定の場所に供給するための半田分配装置に関する。
【背景技術】
【０００２】
従来より、半田分配装置の一例である半田付け装置に組み込まれた、半田部材を搬送する機構として種々のものが利用されている。例えば、多孔ディスクを回転させて間欠的に半田ボールを半田付け装置内に供給する半田供給部を備える半田付け装置が知られている。以下に多孔ディスクを用いた半田供給部を備える半田付け装置の従来例について図面を参照しつつ説明する。
【０００３】
図４は、従来の半田供給部を備える半田付け装置の部分断面図である。従来の半田付け装置５００は、ノズル組立体５０１と、ノズル組立体５０１に半田ボール５０７を供給するための半田供給部と、半田ボールに熱線を付与するためのレーザ装置５１７と、溶融した半田ボール５０７を射出するために圧縮ガスを供給するガス供給部５３５と、を備える。
【０００４】
半田供給部は、半田ボール５０７が貯留されている不図示の貯蔵部から、半田ボール５０７を受け取り、搬送する多孔ディスク５３３と、不図示の多孔ディスク５３３を間欠的に回転させる不図示の駆動部と、を備える。
【０００５】
多孔ディスク５３３の外周側に保持孔５３７が等間隔で刻設され、半田ボール５０７が各保持孔５３７に一つ保持される。半田ボール５０７を保持した多孔ディスク５３３を回転させ、半田ボール５０７を貯留部から後述する半田導入路５２１の開口端部上に搬送する。開口端部上に到達した半田ボール５０７は、半田導入路５２１内へ進む。
【０００６】
ノズル組立体５０１は、半田ボール５０７を射出するためのノズル５０３と、ノズル５０３を支持するためのノズル本体５０５と、から構成される。
【０００７】
ノズル本体５０５は、鉛直方向に延在するレーザ導入路５１９と、一端部がレーザ導入路５１９に連結し、鉛直方向に対して傾斜する方向に延在する半田導入路５２１とを備える。半田導入路５２１の他端部は、多孔ディスク５３３近傍で開口する。また、レーザ導入路５１９は、後述するノズル５０３の収容部５０９に連通する。
【０００８】
先細りで筒形状のノズル５０３は、収容部５０９を備え、収容部５０９の上側の開口はノズルのレーザ導入路５１９と連通し、下側の開口は、半田を射出するための開口部５１１である。ノズル５０３の内径は、半田ボール５０７が転動できるように半田ボール５０７の外径より大きく寸法付けされ、開口部５１１の近傍では、半田ボール５０７の外径より小さく寸法付けされている。よって、半田導入路５２１内に進入した半田ボール５０７は、レーザ導入路５１９、収容部５０９を通り開口部５１１でノズル５０３に保持される。
【０００９】
開口部５１１に位置する半田ボール５０７は、レーザ装置５１７からのレーザ光が照射され溶融した後、ガス供給部５３５から圧縮ガスがガス導入口５４１、半田導入路５２１を介して溶融した半田ボール５０７に付与されてノズル５０３の外部へ射出される（特許文献１参照。）。
【特許文献１】特表平１１−５３４４０９号公報（図１）
【発明の開示】
【発明が解決しようとする課題】
【００１０】
上述した従来の半田付け装置５００の多孔ディスク５３３では、半田ボール径の微細化に伴い、半田ボールを保持孔５３７に確実に保持することが難しくなっている。また、半田ボールは柔らかい材料であるため、多孔ディスク５３３が回転する際に半田ボールに生じる摩擦により、半田ボールが変形する恐れや、半田ボールのくずが発生する恐れがある。結果として、半田ボールは多孔ディスク５３３の保持孔５３７に詰まる恐れがある。半田ボールが保持孔に詰まると、保持孔５３７に残ったまま多孔ディスク５３３が回転するため、噛み込みを起こす恐れがある。
【００１１】
また、圧縮ガスを供給し半田ボール５０７を射出する構成では、圧縮ガスを所定の圧力値に設定することが、射出の成否を左右する重要な要素である。よって、圧縮ガスが半田ボールへ到達するまでのガス供給経路は、密閉空間とすることが望ましい。ここで、図４の従来例では、ガス供給経路は、ディスク支持部５３９のガス導入口５４１、多孔ディスク５３３の保持孔５３７、半田導入路５２１、レーザ導入路５１９、収容部５０９から構成される。
【００１２】
ところが、保持孔５３７と半田ボール５０７との間にも所定のクリアランスを設ける必要があり、また、多孔ディスク５３３は、回転部材であるので、多孔ディスク５３３と、多孔ディスク５３３を支持するディスク支持部５３９との間に所定のクリアランス５４１を設ける必要がある。従って、本来ガス供給経路はガス導入口５４１と保持孔５３７と半田導入路５２１が隙間なく連通していることが望ましい。しかし、前記保持孔５３７と半田ボール５０７との間に存在するクリアランスや、ガス供給経路の途中に存在する多孔ディスク５３３のクリアランス５４１により、ガス供給経路を密閉空間とすることは困難であり、結果としてガスの供給圧力は不安定なものとなる。
【００１３】
例えば、圧縮ガスの圧力値が所定の値より小さくなると、溶融半田部材の粘性により、半田部材がノズル内に詰まる恐れがある。反対に、圧縮ガスが所定値より大きいと、粘性の影響は排除できるものの、溶融した半田部材が空中で飛び散ったり、半田付けの対象物の表面で広がったり跳ね返るおそれがある。
【００１４】
また、半田貯留部から半田部材を搬送する多孔ディスクは、複数の半田部材を保持する必要性からその寸法を小さくすることには限界があり、その構造をさらに簡素にすることは困難である。
【００１５】
そこで、半田分配装置内に半田部材を搬送する際に半田詰まりを起こすことのない半田分配装置を提供することを目的とする。さらに、圧縮ガスのガス供給経路を密閉空間として、安定して半田部材を射出でき、構造が簡素で小型化が図れる半田供給部を備える半田分配装置を提供することを目的とする。
【課題を解決するための手段】
【００１６】
上記課題を解決するための本発明の半田分配装置を適用した半田付け装置の態様は、半田部材を収容するための内部空間と、前記内部空間内へ前記半田部材を導入するための、前記内部空間に連通する半田導入口と、前記半田部材を外部へ導出するための、前記内部空間に連通する開口部と、を有するノズル組立体と、前記ノズル組立体に取り外し可能に装着され、前記半田部材を保持する半田供給部と、を備え、前記ノズル組立体若しくは前記半田供給部は、前記半田部材を溶融するための熱線を前記内部空間内へ導入する熱線経路を有し、前記半田供給部を前記ノズル組立体に装着した状態では、前記半田供給部は前記半田導入口の開口領域内に前記半田部材を保持し、かつ、前記内部空間は前記開口部を除き密閉空間となる。
【００１７】
上記構成によれば、半田供給部をノズル組立体に装着し、内部空間に半田部材を導入すると、半田部材により開口部が閉鎖され、内部空間を密閉状態にできる。
【００１８】
さらに、前記半田供給部は、圧縮ガス源に連結し圧縮ガスが供給されるガス供給路を有し、前記半田供給部を前記ノズル組立体に装着した状態において、前記ガス供給路は前記内部空間に連通する半田付け装置としてもよい。
【００１９】
前記半田供給部は、吸引源に連通する吸引孔を有し、前記吸引孔を介して前記吸引源からの吸引力を前記半田部材に作用することで前記半田部材を保持する半田付け装置としてもよい。
【００２０】
また、前記半田供給部は、複数の半田部材を保持できる半田付け装置としてもよい。
さらに、前記熱線導入部は、レーザ光が透過可能なレーザ光透過部である半田付け装置としてもよい。
【００２１】
上記課題を解決するための本発明半田分配装置は、半田部材を分配するための半田分配装置であって、前記半田部材を導入するための半田導入口と、前記半田部材を外部へ導出するための開口部とを有し、前記半田導入口と前記開口部との間に半田部材が落下できる内部空間を形成する筒状分配容器と、前記分配容器に取り外し可能に装着され、前記半田部材を保持する蓋部材と、を備え、前記蓋部材を前記分配容器に装着した状態では、前記半田供給部は前記半田導入口の開口領域内に前記半田部材を保持し、かつ、前記内部空間が前記開口部を除き密閉空間となり、前記半田部材の保持を解除すると、前記半田部材が密閉空間内を落下して前記開口部に到達する。
【００２２】
上記構成によれば、蓋部材を半田分配容器に装着し、内部空間に半田部材を導入すると、半田部材により開口部が閉鎖され、内部空間を密閉状態にできる。
さらに、前記蓋部材は、吸引源に連通する吸引孔を有し、前記吸引孔を介して前記吸引源からの吸引力を前記半田部材に作用し前記半田部材を保持する半田分配装置としてもよい。
【発明の効果】
【００２３】
本発明によれば、蓋部に吸引保持された半田部材は、半田導入口から自由落下して開口部に到達するので、半田部材の搬送途中で半田詰まりが起きることを防止できる。
【００２４】
本発明によれば、蓋部材を半田分配容器に装着することで半田導入口を塞ぎ、半田部材により開口部を塞ぐことにより、内部空間を密閉空間とすることができる。よって、半田部材を射出する際に内部空間に導入される圧縮ガスの圧力値を、所定値に確実に制御でき、半田部材の射出を確実に行うことができる。
【００２５】
また、小型化及び構造の簡素化を困難にしていた多孔ディスクを用いる必要がないので、半田分配装置の小型化及び構造の簡素化が実現できる。
【発明を実施するための最良の形態】
【００２６】
以下、本発明の半田分配装置を、半田付け装置に適用した実施形態について図面を参照しつつ説明する。各図面中、同一要素は同一符号で示してある。
【００２７】
（実施形態１）
図１は、本発明の実施形態による半田付け装置の一部断面図であり、（ａ）は、半田供給部を装着した状態、（ｂ）は、半田供給部を外した状態を示す。図１に示される実施形態は、主として、磁気ヘッド用の略矩形状スライダ（電子部品）のスライダ電極と、薄板状フレキシャ（基板）のフレキシャ電極の間を電気的に接続するために半田部材すなわち球状の半田ボール１１７を用いて半田付けを行う装置である。
【００２８】
スライダ１５１とフレキシャ１５５は、スライダ電極１５３とフレキシャ電極１５７が略９０度の仰角を以って配置され、各々の電極は少なくとも４個ずつ備えられている。接着剤や把持機構で仮位置決めされたスライダ１５１とフレキシャ１５５の各々の電極により形成される略９０度の溝１５９の幅方向（図１の紙面の表裏方向）における略中心位置に対応するよう当該半田ノズル１０７を位置決めし、半田ボール１３１を射出し、溶融させて電極同士の電気的接合を行う。
【００２９】
半田付け装置１００は、半田部材を不図示の貯留部から収容部に搬送するための半田供給部１０１、すなわち蓋部材と、半田部材を射出するためのノズル組立体１０３、すなわち分配容器と、を備える。
【００３０】
略円筒形状の半田供給部１０１は、ノズル組立体１０３に対して取り外し可能に装着される部材であり、ノズル組立体１０３の蓋としても機能する。半田供給部１０１は、半田部材を溶融するためのレーザ光が通る熱線経路を備える。熱線経路は、レーザ導入路１１９と、レーザ光透過部１２７とから構成される。レーザ導入路１１９は、半田供給部１０１の短手方向に対向する上面１０１ａ及び１０１ｂ間を貫通する。レーザ導入路１１９の上面１０１ａ側の開口部は、レーザ光が透過できるガラス材からなるレーザ光透過部１２７により密閉され、レーザ光のみが透過できる。レーザ導入路１１９の下面１０１ｂ側は開口している。また、半田供給部１０１がノズル組立体１０３に装着されると、レーザ導入路１１９は、後述するノズル本体１０５の内部空間１０９と連通する。
【００３１】
さらに、半田供給部１０１は、レーザ導入路１１９より半径方向外方に、上面１０１ａ及び１０１ｂ間を貫通する吸引路１２９を備える。吸引路１２９は、上面１０１ａ側の端部で、吸引部１３３と連結する。吸引路１２９の下面１０１ｂ側は、下方が開放する単一の凹部１３１に連続している。凹部１３１は、内部が中空状の円筒溝である。凹部１３１の内周壁の径は、半田ボール１１７の外径より僅かに大きく、そして、凹部１３１の鉛直方向の長さは、半田ボール１１７の外径と同じかそれより小さく寸法付けされている。また、凹部１３１に連続する吸引路１２９の径は、凹部１３１の内周壁の径より小さく寸法付けされている。よって、吸引部１３３から、吸引力が吸引路１２９に付与されると、凹部１３１を介して吸引力が半田ボール１１７に付与され、凹部１３１内に一つの半田ボールが収容保持される。
【００３２】
また、吸引路１２９の上面１０１ａ側の端部は、さらに圧縮ガスを供給するガス供給部１３５に連結されている。すなわち、吸引路１２９は、ガス供給路としても機能する。ガス供給部１３５から供給する圧縮ガスが半田部材に付与するためのガス供給経路は、吸引路１２９、凹部１３１、後述する内部空間１０９及び収容部１１３から構成される。ガス供給経路を介して、圧縮ガスが半田ボールに付与され射出される。なお、圧縮ガスとしては、窒素等の不活性ガスを用いる。
【００３３】
次に、ノズル組立体１０３について説明する。ノズル組立体１０３は、半田部材を射出するためのノズル１０７と、ノズル１０７を保持するためのノズル本体１０５と、から構成される。ノズル本体１０５は、略円錐筒形状であり、その内部に設けられた内部空間１０９は先細り形状である。
【００３４】
ノズル本体１０５の上面１０５ａ側の開口である半田導入口１０９ａの直径は、半田供給部１０１をノズル本体１０５の上面１０５ａに装着した状態で、凹部１３１が、半田導入口１０９ａの開口領域内に位置するように寸法付けされている。よって、凹部１３１に保持された半田ボール１１７は、その保持が解放されると、半田導入口１０９ａからノズル本体１０５の内部空間１０９内へと自由落下する。すなわち、内部空間１０９は、半田部材の供給経路として機能する。
【００３５】
さらに、ノズル本体１０５の内部空間１０９は、レーザ光が通るレーザ経路としても機能する。
【００３６】
ノズル本体１０５の上面１０５ａには、Ｏリング１２１が装着されている。半田供給部１０１の下面１０１ｂとノズル本体１０５の上面１０５ａが、装着されると、Ｏリング１２１を介してノズル本体１０５と半田供給部１０１が密着する。なお、半田供給部１０１をノズル組立体１０３に対して固定する手段としては、例えば、内部空間１０９の内圧より大きな負荷を半田供給部１０１に付与しノズル組立体に対して押し付ける機構等の公知の手段を用いる。
【００３７】
ノズル１０７は、先細りの円筒状の部材であり、その内部に収容部１１３を備え、長手方向に対向する両端部が開口する。ノズル１０７の上側端部は、ノズル本体１０５に装着され、下側端部は、半田ボール１１７をノズル外部へ射出するための開口部１１５を構成する。
【００３８】
ノズル１０７の収容部１１３の内壁の径は、少なくとも半田ボール１１７の外径より大きく、ノズル１０７内を半田ボール１１７が自由に転動できる構成である。開口部１１５の径は、半田ボール１１７の外径より僅かに小さく寸法付けされている。よって、半田ボール１０７は開口部１１５近傍において、収容部１１３内に保持される。
【００３９】
また、ノズル１０７内も、レーザ光が通るレーザ光路を構成する。本実施形態では、半田供給部１０１のレーザ導入路１１９、ノズル本体１０５の内部空間１０９、ノズル１０７の収容部１１３、開口部１１５の中心軸が一直線状になるように各部材が配置されている。よって、レーザ導入路１１９を通過したレーザ光が、内部空間１０９に進入し、ノズル１０７の収容部１１３を通り、半田ボール１１７を照射する。
【００４０】
さらに、上記半田供給部をノズル組立体に装着すると、レーザ導入路１１９、内部空間１０９、収容部１１３が、開口部１１５を除き密閉状態となる。
【００４１】
上記構成の半田付け装置において、半田ボール１１７の搬送工程は、以下のように行われる。吸引部１３３を駆動させて半田ボール１１７を凹部１３１に吸着保持する。半田ボール１１７を吸着保持した状態の半田供給部１０１をｘ方向に移動し（図１（ｂ）参照。）、半田供給部１０１をノズル組立体１０３に装着する（図１（ａ）参照。）。装着した後、半田ボール１１７に対する吸引部１３３からの吸引力を解除し、半田ボール１１７を内部空間１０９に自由落下させる。半田ボール１１７は、内部空間１０９、ノズル１０７の収容部１１３を通り開口部１１５近傍に到達し保持される。
【００４２】
上記構成の半田供給部１０１を用いた半田付け装置の動作は以下のように行われる。
【００４３】
半田ボール１１７の搬送工程を終え、半田ボール１１７が装填された半田付け装置１００は、位置決めがなされる。溶融した半田ボール１１７が付着するスライダ電極１５３とフレキシャ電極１５７により形成される溝１５９のほぼ中心位置から鉛直方向上方に所定距離離れた位置にノズル開口部１１５が位置するように、半田付け装置を移動させる。移動機構としては、例えば、３軸（ｘ軸、ｙ軸、ｚ軸）方向に移動させることが可能な公知の構成を利用する。
【００４４】
不図示のレーザ装置から発振されたレーザ光がレーザ透過部１２７を通過し、レーザ導入路１１９、内部空間１０９を通過し、開口部１１５近傍に保持された半田ボール１１７に照射され、半田ボール１１７を溶融する。
【００４５】
溶融された半田ボール１１７は、吸引路１２９に連結されているガス供給部１３５から圧縮ガスを付与することにより、開口部１１５から射出される。この時、開口部１１５は、半田ボール１１７により閉鎖されているため、吸引路１２９、内部空間１０９、収容部１１３は、密閉空間を形成する。
【００４６】
そして、射出された溶融半田ボールが所定の位置に付着し半田付けが完了する。
上記の半田供給部を備える半田付け装置によれば、半田ボールを密閉空間内に保持できるので、射出に利用される圧縮ガスの圧力値を所定の値に確実かつ容易に設定でき、半田ボールを確実に射出することができる。
【００４７】
（実施形態２）
上記した実施形態１の半田供給部１０１は、単一の半田ボールを搬送する構成としたが、実施形態２は、複数の半田ボールを保持する半田供給部２０１を備える半田付け装置である。従って、実施形態１と異なる部分についてのみ説明する。図２は、実施形態２の半田付け装置を図１に示す線II−IIと同様の線に沿った部分の一部断面図である。
【００４８】
半田供給部２０１は、その下面２０１ａにほぼ直線状に等間隔で配置される凹部２３１を備える。この実施形態２では、４つの凹部２３１が設けられている。すべての凹部２３１は、半田導入口１０９ａの径の内側の開口領域内に配置されている。よって、各半田ボール１１７への吸引力を解除すると、内部空間１０９内に自由落下する。
【００４９】
また、各凹部２３１には、それぞれ吸引路２２９が接続している。各凹部２３１及び各吸引路２２９は、実施形態１の凹部１３１及び吸引路１２９と同じ形状、そして寸法を有している。さらに、各吸引路２２９は、吸引部２３３に連結されている。
【００５０】
吸引部２３３は、複数の凹部２３１それぞれに対して別個独立に吸引力を付与し保持することができる。また、複数の凹部２３１各々に保持された各半田ボール１１７を別個独立に保持を解放し落下させることが可能である。
【００５１】
また、吸引路２２９は、ガス供給部２３５にも連結されており、切り替えバルブ等により吸引部２３３とガス供給部２３５との間で切り替え可能な構成である。そして、ガス供給部２３５から不活性ガスを供給することで、溶融した半田ボール１１７が開口部（図１の１１５参照。）から射出される。なお、各凹部２３１に対して、吸引部２３３及びガス供給部２３５それぞれに対して別個独立に使用できる構成となっている。
【００５２】
上記の構成によれば、各凹部２３１に保持されている半田ボール１１７の内、一つに対する吸引力を解除して、半田ボール１１７をノズルの収容部１１３に供給する。半田ボール１１７に熱線を付与した後、ガス供給部２３５から圧縮ガスを収容部１１３に供給することにより半田ボールを射出する。次に、別の凹部２３１の半田ボール１１７をノズルの収容部に供給し、同様に溶融した半田ボールを射出する。これを順次行い、４つの半田ボールの半田付けが完了する。
【００５３】
上記構成によれば、半田付けする箇所（実施形態では４箇所）に対応する数の半田部材を内部空間内に搬送し、内部空間を密閉空間とした上で、内部空間から半田ボールを射出する。よって、当該対応する数の半田部材による半田付けは、同じ環境下で半田ボールを射出することができるので、半田付けの品質を一定に維持することができる。
【００５４】
また、半田供給部２０１が一度に保持できる半田ボールの数を、被半田付け部材（電子部品）の半田付けする箇所（被半田付け部）の数と同じにすることにより、一つの被半田付け部を半田付けする毎に半田部材を搬送する必要がなくなり、半田付け工程のタクトタイムを効率よく短縮できる。例えば、被半田付け部が４箇所であった場合、半田供給部２０１に保持された４つの半田部材を用いて一の被半田付け部材に対して４箇所連続で半田付けを行った後、被半田付け部材の入替え工程中に半田供給部２０１が４つの半田部材を不図示の貯留部から凹部１３１に吸着して、搬送する動作を一回実施すれば、次の被半田付け部材の半田付け工程が終わるまで搬送する動作は不要である。このように、一箇所の半田付けを行うたびに半田ボールを搬送する構成に比べ、タクトタイムが短縮される。
【００５５】
（実施形態３）
図３は、本発明の実施形態３の半田供給部３０１を備える半田付け装置３００の一部断面図であり、（ａ）はレーザ装置が別体の構成を示し、（ｂ）はレーザ装置が半田付け装置に固定されている構成を示す。図３（ａ）、（ｂ）の差異は、レーザ装置が有無であるので、主として図３（ａ）を用いて実施形態３の半田付け装置を説明する。
【００５６】
図１の半田供給部１０１は、レーザ光が導入可能なレーザ透過部１２７を備える構成であったが、実施形態３の半田付け装置３００の半田供給部３０１は、レーザ透過部を備えずに、ノズル組立体３０３にレーザ透過部３２７が設けられている構成である。また、本実施形態は、図１（ａ）に示した半田付け装置１００を部分的に鉛直方向に切断し、それぞれ半田供給部３０１とノズル組立体３０３とした構成である。
【００５７】
半田供給部３０１は、略半円柱形状を有し、実施形態１と同様に、半田供給部３０１は、凹部３３１、吸引路３２９、吸引路３２９に連結された吸引部３３３及びガス供給部３３５を備える。さらに、ノズル組立体と接する、半田供給部３０１の接合面３０１ａ、３０１ｂにはシール３２１が装着され、凹部３３１を含む閉領域を形成する。ノズル組立体３０３に半田供給部３０１を装着すると、シール３２１を介して半田供給部３０１とノズル組立体３０３が密着する。
【００５８】
図３（ａ）を参照すると、ノズル組立体３０３は、レーザ導入路３１９を備えるノズル本体３０５と、ノズル本体３０５に支持されたノズル３０７とから構成されている。ノズル本体３０５の上側部３３５に、内部空間３０９と連通するレーザ導入路３１９と、レーザ導入路３１９の上端に装着されたレーザ光を透過できるレーザ透過部３２７と、が設けられている。レーザ導入路３１９は、ガラス材料からなるレーザ透過部３２７により密閉され、レーザ光のみが透過できる構成である。
【００５９】
また、凹部３３１に半田ボール１１７を保持した半田供給部３０１をノズル組立体３０３に装着した状態では、前述の実施形態１、２等と同様に、吸引路３２９及び内部空間３０９、収容部３１３が、開口部３１５を除き密閉空間を構成する。
【００６０】
上記構成において、不図示の貯留部において半田ボール１１７を吸引保持した半田供給部３０１をｘ方向に移動し、ノズル組立体３０３に装着する。吸引部３３３からの吸引力を解除すると、内部空間３０９内に半田ボールが落下し、収容部３１３内の開口部３１５近傍で止まる。
【００６１】
次に、不図示のレーザ装置からのレーザ光がレーザ透過部３２７を介して半田ボール１１７を照射し、溶融する。ガス供給部３３５から内部空間３０８内に圧縮ガスが導入されて溶融した半田ボールが開口部３１５から射出される。
【００６２】
図３（ｂ）に示した実施形態３のレーザ装置を備える半田付け装置は、上述した通り、図３（ａ）のレーザ装置の半田導入路にレーザ装置３１７を直接固定した構成である。ノズル組立体３０３にレーザ装置３１７を直接固定しても、半田供給部３０１の移動動作に関わらないので、レーザ装置３１７に接続される不図示のファイバーや配線などに負荷をかけることはない。図３（ｂ）の半田付け装置の他の構成及び動作については、図３（ａ）と同様である。
【００６３】
上記実施形態１〜３によれば、特許文献１で使用した多孔ディスクを用いないので、多孔ディスクが半田部材を噛み込み、半田部材が変形したり、半田部材のかすが発生したりして、半田部材を詰まらせることがない。
【００６４】
また、半田供給部に多孔ディスクを備える場合には、多孔ディスクを小型化することに限度があるので、半田付け装置の小型化及び構造の簡素化か困難であったが、半田供給部を用いることにより小型化及び構造の簡素化が実現できる。
【００６５】
実施形態３の半田付け装置について、図３（ｂ）に表されている通り、ノズル組立体３０３にレーザ装置３１７を直接固定する構成としたが、上記実施形態１〜２においても、レーザ導入路にレーザ装置を固定した構成としてもよい。
【００６６】
また、実施形態１〜３を通じて、レーザ装置からのレーザ光の代わりに、ハロゲン光を用いる構成としてもよい。さらに、レーザ透過部３２７を要しない図３（ｂ）の場合はレーザ光の代わりに熱風を用いて半田ボールすなわち半田部材を加熱溶融する構成としてもよい。
【００６７】
上記実施形態１〜３におけるノズルは、先細りの円筒状の部材であり、ノズルの開口部の径は、半田ボールの外径より僅かに小さく寸法付けされていたが、本発明はこの構成に制限されるものではない。すなわち、ノズルの開口部の径が半田ボールの外径より大きく、開口部近傍で保持するために、開口部を閉鎖するためのストッパや、半田部材に吸引力を付与し開口部近傍で吸着保持する構成としてもよい。
【００６８】
上記実施形態１〜３における、吸引部からの吸引力を解除することによって半田ボールを落下させる時には、吸引力の解除だけではなく、少量のガスを供給して、吸引経路に残留した負圧を略大気圧或いは大気圧よりやや高い気圧とすることで、確実に半田ボールを落下させる構成としても良い。
【００６９】
本発明の半田分配装置は、上記実施形態１〜３で述べたノズルを用いる半田付け装置に適用した構成に限定されることなく、半田部材を所定の場所に供給することを目的とする装置であれば本発明の半田分配装置を適用できることは言うまでもない。
【００７０】
この発明は、その本質的特性から逸脱することなく数多くの形式のものとして具体化することができる。よって、上述した実施形態は専ら説明上のものであり、本発明を制限するものではないことは言うまでもない。
【図面の簡単な説明】
【００７１】
【図１】本発明の実施形態１による半田付け装置の部分断面図であり、（ａ）は半田供給部を装着した状態を示し、（ｂ）は半田供給部を外した状態を示す。
【図２】本発明の実施形態２による半田付け装置の一部を示す断面図である。
【図３】本発明の実施形態３による半田付け装置の部分断面図であり、（ａ）はレーザ装置を別体とした構成を示し、（ｂ）はレーザ装置を備える構成を示す。
【図４】従来の半田付け装置の部分断面図である。
【符号の説明】
【００７２】
１００、３００                  半田付け装置
１０１、２０１、３０１          半田供給部
１０３、３０３                  ノズル組立体
１１７                          半田ボール
１３３、２３３、３３３          吸引部
【図１】
2006303279.tif 000003
【図２】
2006303279.tif 000004
【図３】
2006303279.tif 000005
【図４】
2006303279.tif 000006